Podtech/llm-jp-corpus-v4-ja_patent huggingface dataset:
(57)【要約】【課題】  入浴時に浴槽内で本などを読む場合において、該本などを濡らさぬよう扱いに手間がかかるという不都合を解決すること。【解決手段】  開閉自在な開口部のある袋と、該袋の一部が円柱状に伸びた部分と、該円柱状に伸びた部分の先端に突き出して手や指の形に手袋状に設けられた部分が、透明で難透水性かつ変形自在で柔軟な材質により一体的に成形される読書補助具により、入浴時に浴槽内で本などを濡らす心配がなく読むようにすることにより、この課題を解決する。【選択図】図２
2007203020.tif 000002
【特許請求の範囲】
【請求項１】
開閉自在な開口部のある袋と、該袋の一部が円柱状に伸びた部分と、該円柱状に伸びた部分の先端に突き出して手や指の形に手袋状に設けられた部分が、透明で難透水性かつ変形自在で柔軟な材質により一体的に成形される読書補助具
【発明の詳細な説明】
【技術分野】
【０００１】  本発明は、読書補助具に関するものであり、開閉自在な開口部のある袋と、該袋の一部が円柱状に伸びた部分と、該円柱状に伸びた部分の先端に突き出して手や指の形に手袋状に設けられた部分が、透明で難透水性かつ変形自在で柔軟な材質により一体的に成形される読書補助具により、入浴時に浴槽内で本などを濡らす心配がなく読むようにするものである。
【背景技術】
【０００２】  従来から、入浴時に浴槽内で本などを読むための補助具はなかった。
【発明の開示】
【発明が解決しようとする課題】
【０００３】  従来において、入浴時に浴槽内で本などを読む場合は、該本などを濡らさぬよう扱いに手間がかかる。本発明は、従来のこのような入浴時の浴槽内での読書の不都合を解決することを課題とする。
【課題を解決するための手段】
【０００４】  この課題を解決するための請求項１の発明は、開閉自在な開口部１のある袋２と、該袋２の一部が円柱状に伸びた部分３と、該円柱状に伸びた部分３の先端に突き出して手や指の形に手袋状に設けられた部分４が、透明で難透水性かつ変形自在で柔軟な材質により一体的に成形される読書補助具である。袋２の開口部１は、自在に開閉でき、本５などを入れて該開口部１を閉じると該袋２の内部に水や湿気が入り込まないようになっている。円柱状に伸びた部分３と手袋状に設けられた部分４は、該袋２の内側に押し込んだ後で腕を入れ自在に腕や指を動かすことができるようになっている。円柱状に伸びた部分３と手袋状に設けられた部分４は、該袋２に複数成形してもかまわない。本発明を使用するときは、本発明の読書補助具の袋２の開口部１を開けて本５などを入れ、円柱状に伸びた部分３と手袋状に設けられた部分４を該袋２の内側に押し込んだ後で該袋２を膨らませた状態で該開口部１を閉じてから浴室に持ち込み、該円柱状に伸びた部分３と該手袋状に設けられた部分４の中に手を入れて装着し、該袋２の内側で自在に手や指を動かし該本５の頁をめくって開くようにすると、入浴時に浴槽内で該本などを濡らす心配がなく読むことができる。【０００５】  本発明の使用時に、該本発明の読書補助具を静止させ、かつ楽な姿勢で本５を読むために、浴室の上部の掛け具６に取り付けした紐７を該本発明の袋２の適当な部位に設けた留め具８に結んで該読書補助具を固定し、かつ該袋２の下部に設けた突起９を浴室の壁にあてて人体上部が入る隙間を生じさせることにより、該読書補助具に手を添えずに該本５を読むことができるようにすることが考えられる。
【発明の効果】
【０００６】  本発明により、入浴時に浴槽内で本などを読む場合に該本などを濡らす心配がなく読むことができる。【０００７】  本発明を読書補助具の他に使用する例として、本発明により、入浴時に浴室内で防水機能がないテレビやラジオなどを容易に見聞きすることが可能になるものと思慮される。【０００８】  本発明を読書補助具の他に使用する例として、本発明により、空気中の埃などがない環境で行う必要がある細菌の培地移植や精密機器組み立てなどを容易に行うことが可能になるものと思慮される。
【発明を実施するための最良の形態】
【０００９】  図１は、本発明の、開閉自在な開口部１のある袋２と、該袋２の一部が円柱状に伸びた部分３と、該円柱状に伸びた部分３の先端に突き出して手や指の形に手袋状に設けられた部分４が、透明で難透水性かつ変形自在で柔軟な材質により一体的に成形される読書補助具の原理を示す斜視図である。袋２の開口部１は、自在に開閉でき、本５などを入れて該開口部１を閉じると該袋２の内部に水や湿気が入り込まないようになっている。円柱状に伸びた部分３と手袋状に設けられた部分４は、該袋２の内側に押し込んだ後で腕を入れ自在に腕や指を動かすことができるようになっている。円柱状に伸びた部分３と手袋状に設けられた部分４は、該袋２に複数成形してもかまわない。本発明を使用するときは、本発明の読書補助具の袋２の開口部１を開けて本５などを入れ、円柱状に伸びた部分３と手袋状に設けられた部分４を該袋２の内側に押し込んだ後で該袋２を膨らませた状態で該開口部１を閉じてから浴室に持ち込み、該円柱状に伸びた部分３と該手袋状に設けられた部分４の中に手を入れて装着し、該袋２の内側で自在に手や指を動かし該本５の頁をめくって開くようにすると、入浴時に浴槽内で該本などを濡らす心配がなく読むことができる。【００１０】  図２は、本発明の読書補助具の内部に本５を入れて使用する状態を示す斜視図である。同図に示すように、本発明の円柱状に伸びた部分３と手袋状に設けられた部分４の中に手を入れて装着し該袋２の内側で自在に手や指を動かすことができるようになっている。【００１１】  図３は、該本発明の袋２の適当な部位に留め具８を設け、該袋２の下部に突起９を設ける原理を示す斜視図である。本発明の使用時に、浴室の上部の掛け具６に取り付けした紐７を該本発明の袋２の適当な部位に設けた留め具８に結んで該読書補助具を固定し、かつ該袋２の下部に設けた突起９を浴室の壁にあてて人体上部が入る隙間を生じさせることにより、該本発明の読書補助具を静止させ手を添えずに楽な姿勢で本５を読むことができるようにすることが考えられる。
【産業上の利用可能性】
【００１２】  本発明に係る読書補助具は、工業的に量産することが可能であるため、産業上の利用可能性を有する。
【図面の簡単な説明】
【００１３】
【図１】  本発明の読書補助具の原理を示す斜視図である。
【図２】  本発明の読書補助具の使用状態を示す斜視図である。
【図３】  本発明の袋２の適当な部位に留め具８を設け、該袋２の下部に突起９を設ける原理を示す斜視図である。
【符号の説明】
【００１４】  １    開口部
２    袋
３    円柱状に伸びた部分
４    指の形に手袋状に突き出た部分
５    本
６    掛け具
７    紐
８    留め具
９    突起
【図１】
2007203020.tif 000003
【図２】
2007203020.tif 000004
【図３】
2007203020.tif 000005
(57)【要約】【課題】  日常の入浴時に、常に温かい洗剤類を使用できるようにした、温熱洗剤ボックス付き浴槽を提供する。【解決手段】  湯を入れた浴槽１に、洗剤ボックス３、の底下部分２、に浴槽内の湯が行き渡るようにして、洗剤類を温め又、保温の為に洗剤ボックスに蓋４、を取り付けたものである。【選択図】図２
2007203024.tif 000002
【特許請求の範囲】
【請求項１】
浴槽の淵に設置してある洗剤ボックスの底下部分に、浴槽内の湯が行き渡るようにして、洗剤類を温めるようにしたものである。
【請求項２】
その洗剤ボックスに蓋を取付け、温めた洗剤類を保温できるようにしたものである。
【発明の詳細な説明】
【技術分野】
【０００１】本発明は、浴槽の淵に設置してある洗剤ボックスの底下部分に、浴槽内の湯が行き渡るようにして、洗剤類を温めるようにしたものである又、洗剤ボックスに蓋を取り付け、温めた洗剤類を保温できるようになっている。
【背景技術】
【０００２】従来、浴槽の淵部分には、洗剤ボックスが設置されていたが、それは洗剤類を収納する為だけのものであった。
【発明の開示】
【発明が解決しようとする課題】
【０００３】特に、冬場など寒い時期の入浴時に、冷たい洗剤類を使用する時の不快感や違和感等の問題があった。
【課題を解決する為の手段】
【０００４】本発明は、それらの課題を解決する為に発案されたもので、それを図面について説明すれば、湯を入れた浴槽１、に洗剤ボックス３、の底下部分２に浴槽内の湯が行き渡るようにして、洗剤類を温め又、保温の為に洗剤ボックスの蓋部分４、を取り付けたものである。
【発明の効果】
【０００５】このようにすれば、入浴時には常に温かい洗剤類を使用することができ又洗剤類が温かいので、汚れもおちやすい。
【実施例】
【０００６】日常、浴槽の湯を沸かす際に、洗剤ボックス内の洗剤類も同時に温まってゆくため、入浴時には常に温かい洗剤類を使用することができる。
【図面の簡単な説明】
【０００７】
【図１】  浴槽本体の斜視図である。
【図２】  湯を入れた状態の浴槽断面図である。
【符号の説明】
【０００８】１  浴槽本体
２  洗剤ボックス底部分
３  洗剤ボックス
４  洗剤ボックスの蓋の取っ手部分
【図１】
2007203024.tif 000003
【図２】
2007203024.tif 000004
(57)【要約】【課題】本発明は、捨てるだけのたまねぎの皮を、水洗いし、日光で乾燥させるなどの工程を経て、枕や専用の腰当ての中に入れて使用する製品の製造方法に関する。【解決手段】たまねぎの皮を水洗いし、日光で乾燥させる。以上の製造方法からなるたまねぎの皮入り製品を特徴とする。【特許請求の範囲】
【請求項１】
たまねぎの皮を水洗いし、日光に当てて乾燥させ、そのたまねぎの皮を枕やそれ専用の腰当てなどの中に入れて使用することを特徴とする、たまねぎの皮入り製品の製造方法。
【発明の詳細な説明】
【発明の詳細な説明】
【技術分野】
【０００１】  この発明は、たまねぎの皮を利用した枕、腰当て、膝当てなど、たまねぎの皮入り製品の製造方法に関するものである。
【背景技術】
【０００２】  従来、たまねぎは主に食品として利用されているが、たまねぎの皮はむいたら捨てられるだけである。
【発明が解決しようとする課題】
【０００３】  たまねぎは食品にしか利用されておらず、むかれた皮は捨てられていた。本発明は以上の欠点を解決し、たまねぎの皮を幅広く利用するものである。
【課題を解決するための手段】
【０００４】  たまねぎの皮を水洗いする。その後、日光に当てて乾燥させる。それを枕や専用の腰当てなどの中に入れて使用する。以上の製造方法からなるたまねぎの皮入り製品の製造方法である。
【発明を実施するための最良の形態】
【０００５】  以下、本発明の実施の形態について説明する。
第１工程  適量のたまねぎの皮を集める。
第２工程  汚いものは捨て、きれいなものを残すという選別作業をする。
第３工程  流し水で２、３回きれいに洗う。
第４工程  しっかりと脱水して、くっついた皮をはがす。
第５工程  万遍なく日光が当たるようにする。約１００時間位当てる。
第６工程  第５工程でできた素材を枕や専用の腰当てなどの中に入れて、それぞれの用途に合わせて使用する。
なお製品は上述の枕や腰当ての他、肩当て、指巻きなどに応用できる。
【発明の効果】
【０００６】  たまねぎの皮を丹念に水洗いしているので無臭であり、充分に日光に当てているため保温作用は抜群である。
このたまねぎの皮を枕の中に入れて利用した場合、たまねぎの皮に一ヶ月もの間たっぷりと日光を当てているため、太陽の匂いが奥深い森林の中へと吸い込まれるかのようなリラックスした気分を喚び起こし、自然に熟睡へと誘います。また、腰当て、肩当て、アイマスクなどに応用した場合は、太陽の熱がたまねぎの皮に充分に滲み込んでいるため体に熱を送り込み、この製品を当てた体の部位の痛みや疲れがとれ、楽にする作用がある。
たまねぎの皮が体になんらかの影響があるだろうということは発明者が発見したことで、神経痛、肩こりなどの個人的実験を繰り返し、その治療例は幾多に及んでいる。
しかし、その治療効果が医学的に証明されるものかどうかは今後の問題に属すべきことで、本願の主眼とすべきところではない。
(57)【要約】【課題】    カーテンの部位を選ばず、片手で束ねたり留めたりすることができ、光の調節ができるカーテン留めばさみを提供する。【解決手段】    留めばさみ本体の支点にバネを使い、つまみの押圧によって対称的に開閉することでカーテンを挟み、どの位置においても片手で簡単に束ねたり留めたりすることができ、光の調節ができるカーテン用留めばさみ。【選択図】図１
2007203026.tif 000002
【特許請求の範囲】
【請求項１】
留めばさみ本体の支点にバネを使い、つまみの押圧によって対称的に開閉することでカーテンを挟み、どの位置においても片手で簡単に束ねたり留めたりすることができ、光の調節ができるカーテン用留めばさみ。
【発明の詳細な説明】
【技術分野】
【０００１】  本発明はカーテンの部位を選ばず、片手で束ねたり留めたりすることができ、光の調節ができることを特徴としたカーテン用留めばさみに関するものである。
【背景技術】
【０００２】  従来は、カーテンを開けた状態で共布などで一度カーテンを束ね、壁側のフックに掛けて留めていた。
【発明の開示】
【発明が解決しようとする課題】
【０００３】  そのために次のような問題があった。
（イ）カーテンを留める時に、両手を使い左右の壁側に束ねることしかできず光の調節も左右開閉によるものだけであった。
（ロ）左右からカーテンを閉めた時に、中央部分に隙間ができ、光が漏れることがあった。
（ハ）カーテンの真中の高さに留めるだけで、中途の高さや位置において固定することはできなかった。
本発明は、これらの問題点を解決するためになされたものである。
【課題を解決するための手段】
【０００４】  留めばさみ本体の支点にバネを使い、つまみの押圧によって対称的に開閉することでカーテンを挟み、どの位置においても片手で簡単に束ねたり留めたりすることができ、光の調節を可能にする。
以上を特徴とするカーテン用留めばさみである。
【発明の効果】
【０００５】  片手で簡単にカーテンを束ねたり留めたり外したりすることができ、部位、高さに関わらず、光の調節をすることができる。
また、隙間に合わせて留めることで光が漏れる心配をなくし、カーテンを選ばず使用することができる。
【発明を実施するための最良の形態】
【０００６】  以下、本発明の実施の形態について説明する。
（イ）留めばさみの中央部分に束ねたカーテンを包み込む空間を作る。
（ロ）空間部分はカーテン生地を傷めないように曲線にする。
（ハ）つまみの押圧により開閉する先端部分の内側に、凹凸や立体波型形状を滑り止めとして付けることにより、薄いカーテンも留めることができる。
（二）使用時に目にふれる外周部分に飾りや配色、形状を施すことでデザイン性のあるインテリア小物としても楽しむことができる。
【図面の簡単な説明】
【０００７】
【図１】本発明の平面図
【図２】本発明の正面図
【図３】本発明の凹凸面（４）の部分の要部の説明図
【図４】本発明の使用状態を示した説明図
【符号の説明】
【０００８】      １  本体
２  支点
３  つまみ
４  凹凸面
５  バネ
【図１】
2007203026.tif 000003
【図２】
2007203026.tif 000004
【図３】
2007203026.tif 000005
【図４】
2007203026.tif 000006
(57)【要約】      （修正有）【課題】新聞や牛乳配達をする人や足上がりが悪く、歩行に支障をきたしている方たちの歩行補助をする装置を提供する。【解決手段】ズボン１の下に、独立した伸縮自在物体１を腰部辺りからズボンの長さに合わせ足首辺りまで下げた位置で、Ｕターンさせて反対側の足の伸縮物体も同じ状態とする。次にゴム又はバネをバンド４と接続してバンドを前面と背面が互い違いになるように肩まで持っていったほうが安定する。次に足首辺りにＵターンしている伸縮物体のゴム又はバネの上に両足の足踏まずにはいたならば最後に足首バンド２で足首をしっかりと巻いて固定して上着６を着てズボンを履けばよい。【効果】足の負担が従来の数分の一に減少するので歩くことが楽しくなり、健康の壷とも言われている足裏の土踏まずの部分はゴム又はバネなどの伸縮作用により常に程よい刺激が与え続けられる。従って血流の流れは活発になるので健康対策には一石二鳥にも三鳥にもなる。【選択図】図２
2007203027.tif 000002
【特許請求の範囲】
【請求項１】
新聞や牛乳配達をする人や、足が悪くなって歩行するのに支障をきたしている人達が着用しているズボンの下に、別個に単独で独立した伸縮自在物体をズボンに合わせて足首辺りまで設け、足踏まずに伸縮物体を履く構造とする。  その伸縮自在物体を足踏まずに履いて歩行することにより体重は交互の足に負荷がかかり、単独で独立している伸縮自在物体は体重負荷と連動して足に伝わるので負荷のときは伸縮物体は伸びて、足を上げた無負荷のときは縮まる、その伸縮自在の反発力を活用して足上がりを楽にすることを特徴とした「反発力活用足上がり楽チン伸縮自在装置」。
【発明の詳細な説明】
【図面の簡単な説明】
【図１】は本発明をズボン内部に設置し伸縮自在物体に負荷が加わり伸びている状態を示す拡大側面図（点線部は内部構造側面図）。
【図２】は本発明を着用した後方から見た正面図（点線部は内部構造斜視図）。
【図３】は本発明を着用した前方から見た正面図（点線部は内部構造斜視図）。
【図４】は本発明を着用して散歩し、足上がりが楽チンなので楽しくなり鼻歌を歌いながら散歩をしている斜視図（点線部は内部構造斜視図）。
【符号の説明】
（１）はズボン  （２）はゴム又はバネ  （３）は足首とめ具  （４）は肩掛けバンド  （５）はゴム又はバネの伸縮方向  （６）は上着  （７）は杖
【図１】
2007203027.tif 000003
【図２】
2007203027.tif 000004
【図３】
2007203027.tif 000005
【図４】
2007203027.tif 000006
(57)【要約】      （修正有）【課題】アロマは香水・オーデコロンのように臭いを消すのではなく、鼻腔・口から吸収されたアロマの香りは、臭覚を経て大脳辺緑系に伝わり自律神経やホルモン系、免疫系に作用を及ぼします。  いつも最適の状態でアロマの香りを口、鼻腔より吸収するためには胸元に下げ簡単にオイルの交換出来るペンダントの提供。【解決手段】アロマオイル入りペンダントは、中空のペンダント本体と、ペンダント本体に設けた開口からアロマテラピー用オイルを滲み込ませたコルクを挿入し簡単に最適の状態に出来ることを特徴とするアロマオイルペンダント。【選択図】なし【特許請求の範囲】
【請求項１】
中空のペンダント本体に設けた開口からペンダント本体内にアロマテラピー用オイルを滲みこませたコルク等を挿入し簡単に最適の状態に出来ることを特徴とするアロマオイルペンダント。
【発明の詳細な説明】
【技術分野】
【０００１】本発明は、ペンダント、他胸元に付ける装飾品に使用可能なアロマオイル入り装身品に関するもの。
【背景技術】
【０００２】
【特許文献１】実開昭６３−４８５１３号公報
【発明の開示】
【発明が解決しようとする課題】
【０００３】本発明のアロマオイル入りペンダントの使用に際しては、ペンダント本体の開口にアロマテラピー用オイルを滲みこませたコルク等を挿入するペンダント本体内に挿入したアロマオイルを含んだコルクよりオイルが気化し放出され鼻腔より吸収され、アロマ本来の心と体が常にベストの状態に保つことが出来る、芳香が無くなればコルク等を交換すれば簡単に最適の状態に出来る。【０００４】本発明のアロマオイル入りペンダントは、胸元に下げることにより、理想的に気化した香りが口からと鼻腔より吸収され大脳に届きアロマ本来の役割を果たし、心と体が常にベストの状態に保つことが出来る、芳香が無くなればコルク等を交換すれば簡単に最適の状態に出来る。
【課題を解決するための手段】
【０００５】本発明のアロマオイル入りペンダントは、中空のペンダント本体と、ペンダント本体に設けた開口からアロマテラピー用オイルを滲み込ませたコルク等を挿入し簡単に最適の状態に出来ることを特徴とするアロマオイルペンダント。体に吸収される物だからアロマオイル・コルク等も天然で無農薬有機のものを使う。
【発明を実施するための最良の形態】
【０００６】本発明のアロマオイル入りペンダントの実施例を示すものである。図において本発明のアロマオイル入りペンダントは、中空のペンダント本体と、ペンダント本体に設けた開口からペンダント本体内に、アロマテラピー用オイルを滲み込ませたコルクとを有している。【０００７】ペンダント内部には、アロマテラピー用オイルを滲みこませたコルク等を挿入。コルクは天然繊維で出来ているので安全性の面から好適に使用することができる。コルクにアロマテラピー用オイルを滲み込ませて、香りが無くなればアロマテラピー用オイルを含んだ新しいコルク等と交換する。【０００８】本発明のアロマオイル入りペンダントの使用に際しては、ペンダント本体の開口を開閉して開け、アロマテラピー用オイルを滲みこませたコルクを挿入する。【０００９】ペンダント本体内に挿入したアロマオイルを含んだコルク等によりオイルが気化し放出され鼻腔より吸収され、アロマ本来の心と体が常にベストの状態に保つことが出来る、芳香が無くなればコルク等を交換すれば簡単に最適の状態に出来る。
【図面の簡単な説明】
【００１０】
【図１】本発明の斜視図である。
【図２】本発明の図１のＡ−Ｂ断面図である。
【図３】本発明の芳香吸収材コルクの斜視図である。
【符号の説明】
【００１１】１ペンダト本体
２右側（挿入口）
３チェーン
４芳香吸収材コルク
５左側（底側）
【図１】
2007203030.tif 000002
【図２】
2007203030.tif 000003
【図３】
2007203030.tif 000004
(57)【要約】      （修正有）【課題】薬を忘れることなくきっちりと服用することを喚起するためのもの。【解決手段】薬の飲み忘れをなくするために、食卓上で薬の存在をアピールし、服用時間帯ごとの服用状況を目で確認できるようにしておく必要がある。そのために一日管理袋１なるものを食卓テーブル上に置くようにする。この袋には表が透明な複数のポッケト４（朝，昼、晩）があり、それぞれの時間帯ごとに服用すべき薬を入れるようになっている。利用の仕方は、一日の初め（朝）又は一日の終わり（夜）にその日飲む薬又は翌日服用する薬を一日管理袋の透明のすべてのポッケトに分けて入れる。その一日管理袋を袋立て２にひっかけて食卓のテーブル上に置くことで、その薬の存在を意識することと服用時間帯の服用を確認するものである。又この袋は箸立てでひっかけることもできる。もちろん外泊においてもこの袋を利用すればよい。【選択図】図１
2007203004.tif 000002
【特許請求の範囲】
【請求項１】
一日分の服用時間帯ごとに分けて薬を入れるためのポケットを、一日管理袋の表に複数個（朝、昼、晩）設ける。ポケットは一見して中身がわかるように表側を透明にする。
一日分管理袋の裏側には袋たてのためのヒッカケや箸たてに引っ掛けるためのカンコを設ける。
【請求項２】
袋たては、一日管理袋をつるすためのものである。その上部に薬の存在を表示するための表示板を設け、表裏に「薬」の文字を明示する。
【請求項３】
一日分管理袋のポッケトには，持ち出す際に中の薬がこぼれ落ちないようにホックなどでとめておく。
【発明の詳細な説明】
【技術分野】
【０００１】  本発明は、治療のため又は生命維持のために定められた時間帯において服用すべき薬剤を忘れることなく服用することを喚起するためのものである。
【背景技術】
【０００２】    病院などから授かった薬の服用については、病院からの説明と薬袋に記載された方法によるがその服用の有無については本人の記憶・判断による。
【発明の開示】
【発明が解決しようとする課題】
【０００３】    人は物忘れするものである。まして加齢するとつい先までしようとしていた動作を忘れ「何だったかなー」と振り返ることがある。思い出せればそれでよいのだが。ところで人は人生の半ばを過ぎたころから病院の厄介になる。そこでいろいろの薬をいただいてくる。治癒のための薬、生命を維持するための薬といった具合である。以前、親と同居していた時、親が病院からもらってきた薬を一生懸命勘定しながら「私、今薬飲んだやろか？」と尋ねてきたことがあった。おそらくこういったことは、多くの人が経験しているのではないだろうか。
【課題を解決する手段】
【０００４】    まず薬の飲み忘れをなくするために食卓上で、その存在をアピールする必要がある。そして服用時間帯ごとの服用状況を目で確認できるようにしておく必要がある。そのため食卓テーブル上で袋たてに一日分管理袋をつるしておくか又は箸たてに一日分管理袋をつるしておくかのどちらかの方法を選ぶ。一日管理袋には、時間帯ごとに服用するための薬を入れる透明のポケットが複数（朝，昼，晩などの表示）がついており、ひと目でその時間帯の服用状況が判断できるようにしてある。利用の仕方は、年寄りには几帳面な人が多いので一日の初めか終わりに、当日分又は翌日分の薬をすべてのポッケトに収めてもらうことになる。また外泊にも備え一日管理袋は自在に持ち出せるようにしておくと同時にポッケトに入れた薬が紛失しないようポッケトをホックで止めるようにしておく。
【発明の効果】
【０００５】    よほどの強度の認知症や寝たきりではない限り効果はある。
【発明を実施するための最良の形態】
【０００６】    以下本発明の実施形態を説明する。
（イ）通常の薬の服用時間帯は食事の前後にあるので食卓テーブル上に一日管理袋（１        ）を袋立て（２）又は箸たてにつるすか、ひっかけて置くことによって、その存        在をアピールする。そして時間帯の服用状況が目視できるようにしておく。
（ロ）一日管理袋（１）をつるした袋立て（２）を置くだけでも薬服用のアピール効果        があると思われるがさらに印象を強めるため袋立て上部に「薬」の文字が入った        表示板（３）を付けた。
（ハ）一日管理袋（１）の表には、時間帯ごとに服用するための薬を入れる透明のポケ        ット（４）が複数（朝，昼、晩など表示）付いており一目でその時間帯の服用状        況が判断できるようにしてある。
（ニ）一日管理袋の裏には、袋立て（２）のウケ（５）につりさげれるようにひっかけ        （６）があり、また  箸立てにつり下げれるようにカンコ（７）を設ける。
【図面の簡単な説明】
【０００７】
【図１】本発明の概図
【図２】袋立て側面図
【図３】一日管理袋の裏面図
【符号の説明】
【０００８】  （１）一日管理袋、（２）袋立て、（３）表示板、（４）ポッケト、（５）ウケ、（６）ひっかけ、（７）カンコ、（８）ホック
【図１】
2007203004.tif 000003
【図２】
2007203004.tif 000004
【図３】
2007203004.tif 000005
(57)【要約】【課題】  木やプラスチック等の浴槽蓋は、遮熱性能が低いため長時間湯温を保持して置くことが難しいという問題があった。【解決手段】  プラスチック発泡材又はプラスチックダンボール等の片面又は両面或いは周囲に、アルミホイル等輻射熱に対して高反射率の素材を取り付けた浴槽保温蓋。【選択図】図１
2007203001.tif 000002
【特許請求の範囲】
【請求項１】
プラスチック発泡材又はプラスチックダンボール等の片面又は両面に、アルミホイル等輻射熱に対して高反射率の素材を取り付けた浴槽保温蓋。
【請求項２】
木或いはプラスチック等の素材に薄いプラスチック発泡材シート又はプラスチックエアーバブルを取り付け、その外側又は薄いプラスチック発泡材シート又はプラスチックエアーバブルを含む全面にアルミホイル等輻射熱に対して高反射率の素材を取り付けた浴槽保温蓋。
【発明の詳細な説明】
【技術分野】
【０００１】  本発明は、浴槽の湯温の低下を防止する浴槽保温蓋を提供するものである。
【背景技術】
【０００２】  浴槽の湯温低下を防止する為に、発泡プラスチック断熱材の両面にアルミ蒸着シートを貼ったマットを浴槽の形状に合わせて切断し、湯面に浮かす方法がある。しかし、浴槽壁面は垂直ではない為湯面の高さが変わると湯面の形状が変わる事、浴槽の形状が複雑なものが多い事等マットと浴槽壁面との間に隙間が出来易く、熱が逃げやすいという問題がある。又、アルミ等金属は伝導率が大きい為、湯面に接触させて使用することは熱損失を増やす事となる。
【発明の開示】
【発明が解決しようとする課題】
【０００３】  木やプラスチック等の素材で出来た蓋を浴槽上面に置く事により、浴槽より逃げる熱を防ぐ事が一般的に行われているが、近年木製から腐食の少ないプラスチック製へと移行した為、断熱性が低下熱損失は増大している。又、発泡プラスチック断熱材の両面にアルミ蒸着シートを貼ったマットを湯面に浮かして熱損失を防ぐ方法もあるが、アルミ蒸着シートは輻射熱の反射率が３０〜５０パーセントと低いこと、金属は伝導熱に弱い事、マットと浴槽壁面とに隙間ができ熱が逃げやすく熱損失が大きいという問題があった。
本発明は、この問題を解決しようとするものである。
【課題を解決するための手段】
【０００４】  上記問題を解決するため本発明は、プラスチック発泡材又はプラスチックダンボール等の片面又は両面に、アルミホイル等輻射熱に対して高反射率の素材を取り付けたり、又は、木或いはプラスチック等の素材に薄いプラスチック発泡材シート又はプラスチックエアーバブルを取り付け、その外側又は薄いプラスチック発泡材シート又はプラスチックエアーバブルを含む全面にアルミホイル等輻射熱に対して高反射率の素材を取り付けたものである。
【発明を実施するための最良の形態】
【０００５】  以下、本発明を実施するための最良の形態について説明する。
浴槽湯面からの熱損失を減らす方法で大切な事は、まず対流熱の多い湯気を逃がさない事で、浴槽上端と蓋とを確実に密封することである。次に、湯からの輻射熱を浴槽蓋に吸収させないために高反射率の素材を使うこと、又湯気等の対流により蓋に伝わった熱は外部に極力伝達させない為に断熱の高い素材が必要である。更に、外部よりの輻射熱を蓋に吸収させない為には、蓋外部にも反射材を取り付ける事も重要である。
図１は、プラスチック発泡材２の両面及び端部に、アルミホイル等輻射熱に対して高反射率の素材１を取り付けた浴槽蓋の断面図である。アルミホイル等輻射熱に対して高反射率の素材１は、両面から来る輻射熱の大半をその侵入面側に反射してしまう為、浴槽蓋には殆ど侵入しないこととなる。更に、プラスチック発泡材２は、湯気より伝達される伝導熱を遅らす事となり、断熱能が大幅に向上する。又、プラスチック発泡材の代わりに、内部に空気層をもつプラスチックダンボール等でも効果的である。
図２は、木やプラスチック等の素材３に薄型のプラスチック発泡材２を取り付け、その外側にアルミホイル等輻射熱に対して高反射率の素材１を取り付けたものである。断熱性は図１より劣るものの、湯からの輻射熱に対しては同様の反射率を有するため、高い遮熱性能を持つ事となる。この場合、木やプラスチック素材３を含む全周に、アルミホイル等輻射熱に対して高反射率の素材１を取り付けるとより効果的である。
プラスチック発泡材の代わりに、空気泡をもつプラスチックエアーバブルでもよい。
何れの方法も、アルミホイルに対して高反射率の素材１は輻射熱に対する反射率が重要で、反射率が高ければより効果がある。
本発明は，以上を特徴とする浴槽保温蓋である。
【発明の効果】
【０００６】  湯面より或いは外部よりの輻射熱は、アルミホイル等輻射熱に対して高反射率の素材の反射機能によりその侵入面側に大半反射されてしまうため、浴槽蓋を通過する輻射熱の量は極僅かとなり、高遮熱の浴槽蓋となる。又、プラスチック発泡材は高い断熱性を持っているので、図１の様にアルミホイル等輻射熱に対して高反射率の素材と組み合わせると、高遮熱高断熱の浴槽保温蓋とする事が出来る。
プラスチック発泡材は軽量な素材であるため、取り扱いが非常に楽である。
図２の様に、木やプラスチック等の素材に、薄いプラスチック発泡材やプラスチックエアーバブル等断熱シートを取り付け、その周囲をアルミホイル等輻射熱に対して高反射率の素材で包んだものは遮熱断熱性に富み、蓋の厚みも薄くする事が出来る。
【図面の簡単な説明】
【０００７】
【図１】プラスチック発泡材の両面及び端部に、アルミホイル等輻射熱に対して高反射率の素材を取り付けた、浴槽蓋の断面図である。
【図２】木やプラスチック等の素材に、薄型のプラスチック発泡材とアルミホイル等輻射熱に対して高反射率の素材を取り付けた、浴槽蓋の断面図である。
【符号の説明】
【０００８】  １アルミホイル等
２プラスチック発泡材
３木或いはプラスチック等
【図１】
2007203001.tif 000003
【図２】
2007203001.tif 000004
(57)【要約】      （修正有）【課題】有用微生物群を用いたセラミックＥＭＸ（以下、ＥＭＸ）を、誰にでも著しい効果を得られるようにする方法と健康部材を提供する。【解決手段】波動系の健康部材はそれぞれ独自の波長の微弱な電磁波を放出、あるいは受けた電磁波の波長を変調する効果を持ち、生き物の身体にさまざまな影響を与えていると言う結論を見出した。しかし、固体ごとにその身体にとって著しく有用な効果をもたらす波長には、違いがあり、その波長を得る方法として、赤・橙・黄・アイボリー・金・銀・ベージュの７色の顔料もしくは染料とＥＭＸの混合粉末が効果が得られる事を見いだした。【選択図】なし【特許請求の範囲】
【請求項１】
有用微生物郡を用いたセラミックＥＭＸ（以下、ＥＭＸ）に赤・橙・黄・アイボリー・金・銀・ベージュの顔料もしくは染料を混入した粉末を含有する事を特徴とする健康部材
【発明の詳細な説明】
【発明の詳細な説明】
【技術分野】
【０００１】本発明は有用微生物郡を用いたセラミックＥＭＸ（以下ＥＭＸ）の健康効果を高める発明に関するものである。
【背景技術】
【０００２】打撲、捻挫、肩こり、筋肉痛等比較的軽い症状の治癒には冷シップ、温シップなどが頻繁に行われていた。また、運動機能の補助具として磁気サポーターやテーピングが頻繁に行われている。ところがこのような治癒および運動補助具は、症状により温・冷の使い分けをする必要があったり、締め付け具合や使用箇所等の専門知識を必要とするばかりでなく、使用部位がかさばったり、使用中に不快感を与えたり、取替え回数が多いなど不都合な点があった。これらを解決すべくトルマリン・チタン・ゲルマニウム・プラチナ・ＥＭＸなど様々な波動系健康部材が考案され用いられてきた。
とりわけ、ＥＭＸは非常に有用であるにもかかわらず著しく効果の出る人の割合が１０人に１人ないし２人と個人差による効果にばらつきが多く、被験者によっては、効果が得られない場合も多かった。
【発明が解決しようとする課題】
【０００３】本発明は、ＥＭＸをより多くの人や生物に対して効果が得られる様にする事を課題とする。
【課題を解決するための手段】
【０００４】本発明がなされるにあたり、なぜ波動系の健康部材が身体に良い効果をもたらすか検証した結果、波動系の健康部材はそれぞれ独自の波長の微弱な電磁波を放出、あるいは受けた電磁波の波長を変調する効果を持つ事が判明し、その波長が、太陽光の波長帯に含まれていると言う結論を見出すに至った。
自然界の太陽光に含まれる波長帯の電磁波は、生き物の身体にさまざまな影響を与えている、例えば赤外線を受けると体温が上がったり、紫外線を受けるとメラニンが生成されたりする事は、広く知られている。
その太陽光の波長帯の中で特に体によい効果が出る波長を一人ひとり多数の人に求めた結果、個人差や症状、その時々、人によって良い影響の出る波長に、違いがあることが判り、波動系健康部材の出す波長がその人の人体に有効な波長に合致した場合のみ有効な効果が得られると言う結論に達した。
そこで、波動系の健康部材の中でもとりわけ効果の高いＥＭＸについて人体に有効な波長に調整する方法として、ＥＭＸ・顔料もしくは染料を共に粉末にして混合すると期待した効果が得られるという発見が本発明である。
ＥＭＸに太陽光に含まれる波長の色の顔料もしくは染料の粉末を混入し多くの人に試していった結果、効果をもたらす顔料もしくは染料は赤・橙・黄・アイボリー・金・銀・ベージュであり、その時その人にＥＭＸが著しい効果を発揮するがあるのはその中の１色であり、その他の色のものでは、著しい効果は得られない。
しかし、次の７色の顔料もしくは染料の粉末を、混合して、ＥＭＸと共に使用する事でほぼ総ての人にとって有効な効果が得られる事がわかった。
また、ゴム・ポリエステル・ビニール・レーヨン・アクリル等の繊維やゴム・樹脂等にＥＭＸと７色の顔料もしくは染料の混合粉末を塗布または含有させたものに付いても同様の効果が得られる事がわかった。
【発明を実施するための最良の形態】
【０００５】（イ）赤・橙・黄・アイボリー・金・銀・ベージュ色の顔料もしくは染料とＥＭＸの混合粉末を塗布もしくは含有させた繊維
（ロ）赤・橙・黄・アイボリー・金・銀・ベージュ色の顔料もしくは染料とＥＭＸの混合粉末を塗布もしくは含有させたゴム
（ハ）赤・橙・黄・アイボリー・金・銀・ベージュ色の顔料もしくは染料とＥＭＸの混合粉末を塗布もしくは含有させた樹脂
（ニ）赤・橙・黄・アイボリー・金・銀・ベージュ色の顔料もしくは染料とＥＭＸの混合粉末
【発明の効果】
【０００６】１．ＥＭＸは、水分子の集団構造（クラスター）を細かくし、有害物質の分解を促す効果があり、抗酸化物質の生成作用があると言われ、人体に使用した場合、体内の水に作用し治癒能力を高め、運動能力の向上に役立つことが実証されています。
しかし、この効果が著しく得られるのは１０人中に一人ないし二人程度と個人差によるばらつきが多く、効果があるにもかかわらず一般的ではなかった。
そのばらつきを１０人中８人から９人程度あるいは、総ての人に効果が出るように改善することが出来る。
(57)【要約】【課題】鋏（ハサミ）において、取っ手を１回閉じることにより、複数の切れ目をいれること目的とするハサミ【解決手段】ハサミの刃を同軸支点上に複数個並行して並べ、力点側である取っ手を閉じることにより複数個の刃で同時に切れ目を複数個入れることを可能とした。【選択図】図３
2007203003.tif 000002
【特許請求の範囲】
【請求項１】
力点側である取っ手と作用点側である刃、そして取っ手と刃を中継する支点によって構成される鋏（はさみ）にて、刃が複数個並列に並びそれぞれの刃は同軸上の支点を介し、又それぞれの刃の取っ手は１個に束ねられそれぞれの刃の共通の力点となる、そのような構造を有する鋏。
【発明の詳細な説明】
【技術分野】
【０００１】本発明は鋏に関する発明である。
【背景技術】
【０００２】従来の鋏では刃は一対しかなく、１回刃を閉じることにより１本の切れ目しか入れることが出来なかった。
【発明の開示】
【発明が解決しようとする課題】
【０００３】従来の鋏は刃が一対しかなく、そのため書類等を鋏で細かく裁断する場合、数度にわたって切れ目を入れなければならなかった。
【課題を解決するめの手段】
【０００４】本発明は鋏の刃を共通支点上に複数並列に並べ、その複数個の刃は取っ手側で１個にまとめられている。
そのまとめられている取っ手を閉じることにより、複数の刃は同軸支点上に配置されているため、同時に対象物に複数の切れ目を入れることができるものである。
【発明の効果】
【０００５】机の引き出しなどに収納できるので場所をとらず又、切断したい書類等の一部分だけでも細かく切断できるため、封筒などの特定の場所を細かく裁断して破棄できる。
【発明を実施するための最良の形態】
【０００６】図１は鋏の全体図であり、符号１は力学的に力点の働きをする取っ手、符号３は作用点の働きをする刃、符号２は取っ手と刃を中継する支点の働きをする刃の固定軸である。
そのハサミを用いて本発明の装置を機能させるには図２の様に、鋏を複数個並列に並べ、各ハサミの固定軸を符号５の様に共通軸上としたあと、符号４のそれぞれの取っ手を削除する。
次に、削除された取っ手にて、まだ、残留している取っ手の根元部分を符号８の部材にて固定し、さらに固定された取っ手に符号７の新たな取ってを取り付ける。
これにて、符号７の取っ手を閉じることにより複数の刃は同時に閉じ始め目的とする物を裁断することが可能となる。
【実地例】
【０００７】並列に並ぶ刃の数を増やせばそれに比例して握力が必要となる。
このことを考慮し、並列に並ぶ刃数は決められる。
又、並列に並ぶ刃の間隔は裁断される間隔となるため、それを考慮して決められる。
【図面の簡単な説明】
【０００８】
【図１】は従来のハサミである
【図２】は従来のハサミを並列に並べ各ハサミの固定軸を共通の同軸上にしたものである。
【図３】は並列に並んだハサミの固定軸を同軸上にしたあと、握り手を統合、固定し新たな握り手を取り付けたものである。
【符号の説明】
１・・・・・・ハサミの取っ手
２・・・・・・ハサミの固定軸
３・・・・・・ハサミの刃
４・・・・・・並列に複数個並んだハサミの取っ手
５・・・・・・並列に複数並んだハサミのそれぞれの軸を１つの軸にするための軸。
６・・・・・・並列に複数個並んだハサミの刃
７・・・・・・並列に複数個並んだハサミの取っ手を１つの取っ手にするための新たな取っ手。
８・・・・・・並列に複数個並んだハサミの取っ手を１つに固定する部材。
【図１】
2007203003.tif 000003
【図２】
2007203003.tif 000004
【図３】
2007203003.tif 000005
(57)【要約】      （修正有）【課題】内視鏡的な治療中に出血した場合の電気凝固による止血を容易にするため、手術部位を乾燥させた状態での出血点の確認を可能とする技術を提供する。【解決手段】径が５ｍｍ未満と細く、長さが１ｍ以上あるカテーテル１と、そのカテーテルに圧縮空気などの圧縮された気体を送り込む装置３を組み合わせたものを作成する。カテーテルから噴出させた圧縮された空気などの気体は、血液の溜まりを吹き飛ばし、乾燥した状態での出血点の確認を実現する。これにより、続く電気凝固による止血を容易にする。【選択図】図１
2007203002.tif 000002
【特許請求の範囲】
【請求項１】
径が５ｍｍ未満と細く、長さが１ｍ以上あるカテーテルと、そのカテーテルに圧縮空気などの圧縮された気体を送り込む装置を組み合わせたもの。またそのように作成されたカテーテルと装置。
【発明の詳細な説明】
【発明の詳細な説明】
【技術分野】
【０００１】  医療分野。内視鏡分野。
【背景技術】
【０００２】  近年、消化器内視鏡分野の発達は目覚しく、早期診断された胃癌は比較的に大きいものまで内視鏡で切除することが可能になってきた。しかし一方で、従来、内視鏡的切除の対象とされた小さい病変と比較すると、大きい病変の切除には術中の出血の危険性が高まる。また現在、普及しつつあるＥＳＤ（内視鏡的粘膜下層剥離術）という手技では従来のスネアーを用いる手技と比較し大きな病変が一度に切除できる反面、やはり術中の出血の危険性は高い。
内視鏡治療中に出血が認められた場合、従来の方法では出血点を予想して盲目的に電気凝固で止血するか、水で洗浄して、それを吸引して、出血点を確認し電気凝固により止血している。前者は確実な手技ではないし、後者は確実ではあるが、水で洗浄して、それを吸引してという作業が必要なため、その作業時間にも出血が進み、血液で満たされ、出血点を確認することが困難になることが少なくない。
【発明が解決しようとする課題】
【０００３】  出血点を確認し、ただちに電気凝固で止血するためには、本来、通常の手術の際のガーゼで血液を拭くような手技が最も適している。つまり手術部位を乾燥させた状態で出血点を確認することが、続く電気凝固による止血を容易にする。これまではこれを可能にする技術はなかった。
【課題を解決するための手段】
【０００４】  これまでの技術とは全く異なる発想により出血部位を確認する技術を提供する。つまり水で洗うのではなく、圧縮された空気などの気体をカテーテルから噴出させ血液の溜まりを吹き飛ばし、乾燥した状態での出血部位の確認を実現する。
【発明を実施するための最良の形態】
【０００５】  径が５ｍｍ未満と細く、長さが１ｍ以上あるカテーテルと、そのカテーテルに圧縮空気などの圧縮された気体を送り込む装置を組み合わせたものを作成し、内視鏡の中または外を通して胃内まで挿入、出血した際に出血部位の確認を行うために用いる。
【発明の効果】
【０００６】  カテーテルから噴出させた圧縮された空気などの気体は、血液の溜まりを吹き飛ばし、乾燥した状態での出血点の確認を実現する。これにより、続く電気凝固による止血を容易にする。
合併症については、気体は空気などの人体に無害のものを用いれば問題はない。また噴出された気体が血管内に入ったとしても胃の内腔で用いれば胃の動脈あるいは胃の静脈に気体が入ることになる。胃の血行は豊富でたとえ気体による動脈塞栓がおこっても側副血行が豊富なため胃が壊死に陥ることはない。また胃の静脈に入っても門脈に流れるだけで、肺塞栓症を起こすことはない。
【図面の簡単な説明】
【図１】内視鏡用エアージェットカテーテル装置
【図２】内視鏡用エアージェットカテーテル装置の生体内での使用法
【符号の説明】
▲１▼カテーテル
▲２▼接続部
▲３▼圧縮空気を送り出す装置
▲４▼圧縮空気を送り出すフットスイッチ
▲５▼胃
▲６▼内視鏡
▲７▼病変
▲８▼出血部位と血液の溜まり
▲９▼噴出された圧縮された気体
【図１】
2007203002.tif 000003
【図２】
2007203002.tif 000004
(57)【要約】【課題】  従来の有料道路料金所案内表示は自動車の進入方向に関係なく双方向にゲートの種別に関しての案内表示をしていたので間違って反対方向のゲートに進入して交通事故を誘発する可能性があった。【解決手段】  交通事故防止の目的で有料道路の料金所のゲートに自動車が進入してはならない方向のゲートに種別の案内の表示をせず車両進入禁止標識マークを明示する構造とした有料道路料金所案内表示。【選択図】図１
2007128489.tif 000002
【特許請求の範囲】
【請求項１】
交通事故防止の目的で有料道路の料金所のゲートに自動車が進入してはならない方向のゲートに種別の案内の表示をせず車両進入禁止標識マークを明示する構造とした有料道路料金所案内表示。
【発明の詳細な説明】
【技術分野】
【０００１】  本発明は有料道路のゲートの選択をする運転者が間違って進入して発生する交通事故を防ぐ目的で自動車が進入してはならない方向の案内表示に車両進入禁止標識マークを明示する構造とした有料道路料金所案内表示に関するものである。
【背景技術】
【０００２】  従来の有料道路料金所案内表示は自動車の進入方向に関係なく双方向にゲートの種別に関しての案内表示をしていることで間違って反対方向のゲートに進入して交通事故を誘発する可能性が高い問題があった。
【発明が解決しようとする課題】
【０００３】  従来技術には、次のような欠点があった。
従来の有料道路の案内表示は種別を切り替える機能はあったが、双方向に入口と出口の両側に表示されていた。したがって、特にインターチェンジの導入路が直線でなく視界が不良な施設では運転者が該当するゲートと間違えてＵターン用に確保された部分から反対方向のゲートを目指すことで正面衝突等の致命的な交通事故を起こす可能性があった。
【課題を解決するための手段】
【０００４】  交通事故防止の目的で有料道路の料金所のゲートに自動車が進入してはならない方向のゲートに種別の案内の表示をせず車両進入禁止標識マークを明示する構造とした有料道路料金所案内表示である。
【発明の効果】
【０００５】  本発明は、有料道路の料金所で想定している車両の進行方向と反対側の案内表示を車両進入禁止の標識マークを表示することで反対側から間違って車両が進入しない構造とする。
【発明の実施をするための最良の形態】
【０００６】  以下、本発明の実施をするための最良の形態について説明する。
（イ）ゲート（稼動／閉鎖）スイッチＳ１を設ける。
（ロ）閉鎖回路に車両進入禁止標識マークを表示する位置を検出するリミットスイッチと作動リレーのＳＱ０１とＫＡ０およびＳＱ０２とＫＢ０を並列接続する。
（ハ）稼動回路に進入方向スイッチＳ２を設ける。
（ニ）進行方向に応じてＳＡ１あるいはＳＡ２を使って稼動させるゲートの種別を選択して、ＳＱ１１、ＳＱ１２、ＳＱ１３あるいはＳＱ２１、ＳＱ２２、ＳＱ２３を設けることで種別に対応した位置で表示パネルを停止させる。
（ホ）設定する車両進行方向と反対方向の案内装置に車両進入禁止マークを表示させるためにダイオードＤ１〜Ｄ１２を設けることで適切な回路に給電をする。
本発明は、以上の構成よりなっている。
本発明を使用するには、まずゲート（稼動／閉鎖）スイッチＳ１を選択にする。Ｓ１で閉鎖を選択した場合はゲートの双方向に車両進入禁止標識マークを表示させる。またＳ１で稼動を選択した場合には続けて進行方向設定スイッチＳ２で車両の進行方向を選択した後に表示させる種別を表示内容種別選択スイッチＳＡ１（ＳＡ２）で選択する。その結果各リミットスイッチＳＱ１１、ＳＱ１２、ＳＱ１３（ＳＱ２１、ＳＱ２２、ＳＱ２３）によって適切な位置まで表示が設定されるまでＭ１（Ｍ２）が回転する。同時に反対方向はゲート（稼動／閉鎖）スイッチＳ１でゲートの閉鎖を選択した場合に駆動する回路の一部をダイオードＤ１〜Ｄ１２によって利用することで車両進入禁止標識マークを表示する。
【図面の簡単な説明】
【０００７】
【図１】  本発明の制御系の電気回路図である。
【図２】  本発明の動力系の電気回路図である。
【図３】  本発明のゲート種別案内装置の説明図である。
【図４】  本発明の車両進入方向の説明図である。
【図５】  本発明の表示パネルの種別に関する説明図である。
【符号の説明】
【０００８】  Ｓ１      ゲート（稼動／閉鎖）選択スイッチ
Ｓ２      進行方向設定スイッチ
ＳＡ１    表示内容種別選択スイッチ１
ＳＡ２    表示内容種別選択スイッチ２
Ｄ１      ダイオード
Ｄ２      ダイオード
Ｄ３      ダイオード
Ｄ４      ダイオード
Ｄ５      ダイオード
Ｄ６      ダイオード
Ｄ７      ダイオード
Ｄ８      ダイオード
Ｄ９      ダイオード
Ｄ１０    ダイオード
Ｄ１１    ダイオード
Ｄ１２    ダイオード
ＳＱ０１  車両進入禁止表示位置検出リミットスイッチ（方向１）
ＳＱ０２  車両進入禁止表示位置検出リミットスイッチ（方向２）
ＳＱ１１  ＥＴＣ表示位置検出リミットスイッチ（方向１）
ＳＱ１２  ＥＴＣ・一般表示位置検出リミットスイッチ（方向１）
ＳＱ１３  一般表示位置検出リミットスイッチ（方向１）
ＳＱ２１  ＥＴＣ表示位置検出リミットスイッチ（方向２）
ＳＱ２２  ＥＴＣ・一般表示位置検出リミットスイッチ（方向２）
ＳＱ２３  一般表示位置検出リミットスイッチ（方向２）
ＫＡ０    車両進入禁止表示位置検出リレー（方向１）
ＫＢ０    車両進入禁止表示位置検出リレー（方向２）
ＫＡ１    表示パネル位置検出リレー（方向１）
ＫＢ１    表示パネル位置検出リレー（方向２）
ＫＭ１    表示パネル作動許可リレー（方向１）
ＫＭ２    表示パネル作動許可リレー（方向２）
＋Ｖ      正極（直流）
−Ｖ      負極（直流）
Ｍ１      表示パネル設定用モータ（方向１）
Ｍ２      表示パネル設定用モータ（方向２）
１        ゲートの種別の表示位置
２        ゲート案内装置
３        料金収受ハウス
Ａ        車両進入方向１
Ｂ        車両進入方向２
【図１】
2007128489.tif 000003
【図２】
2007128489.tif 000004
【図３】
2007128489.tif 000005
【図４】
2007128489.tif 000006
【図５】
2007128489.tif 000007